(57)【要約】  本願発明は、吸収物品のためのバックシートであって、内側液体不透過フィルム層（１’）及び不織布の外側層（３’）を備え、前記内側液体不透過フィルム層が、少なくとも１つの領域（２）を含んでいるバックシートに関する。本願発明によれば、不織布の前記外側層（３’）には、内側液体不透過フィルム層の少なくとも１つの印刷領域を覆っている領域又は複数の領域（５）を除いて、すべての領域においてプリント（４）が設けられ、不織布の外側層（３’）の斤量が２０ｇ／ｍ２以下とされる。
2010537712.tif 000002
【特許請求の範囲】
【請求項１】
内側液体不透過フィルム層（１’）と、不織布の外側層（３’）と、を備える吸収物品のためのバックシートであって、
前記内側液体不透過フィルム層は、少なくとも１つの印刷された領域（２）を含むバックシートであって、
前記不織布の外側層（３’）には、前記内側液体不透過フィルム層の少なくとも１つの印刷された領域（２）を覆っている領域又は複数の領域（５）内ではなく、領域又は複数の領域（５）の周りに延在するプリント（４）が設けられ、
前記不織布の外側層（３’）の斤量が２０ｇ／ｍ２以下とされることを特徴とするバックシート。
【請求項２】
前記内側液体不透過フィルム層（１’）は、２つの印刷領域（２）を有し、該２つの印刷領域（２）は、前部における１つの印刷領域と後部における１つの印刷領域とであり、
前記不織層の外側層（３’）は、前記内側液体不透過フィルム層上に印刷された前記領域（２）に対する形状及び位置において対応する２つの非印刷領域（５）を有することを特徴とする請求項１記載のバックシート。
【請求項３】
前記内側液体不透過フィルム層は、側面部がフィルム層を有していない状態で、前記バックシートの中間部分のみに存在することを特徴とする請求項１又は２に記載のバックシート。
【請求項４】
複数の印刷領域が前記バックシートの前記前部及び／又は前記後部上に存在することを特徴とする請求項１〜３のいずれか一項に記載のバックシート。
【請求項５】
前記内側液体不透過フィルム層又は／及び前記外側不織布層が着色されていることを特徴とする請求項１〜４のいずれか一項に記載のバックシート。
【請求項６】
前記不織布の外側層がスパンボンド不織布とされることを特徴とする請求項１〜５のいずれか一項に記載のバックシート。
【請求項７】
前記不織布の外側層が、メルトブローン不織布及びスパンレース式不織布又はカード式不織布とされることを特徴とする請求項１〜５のいずれか一項に記載のバックシート。
【請求項８】
前記不織布は、ポリプロピレン繊維、ポリエチレン繊維、ポリエチレンテレフタラート繊維、又はその２成分繊維、ポリアミドの繊維、又はポリ乳酸の繊維、から形成されることを特徴とする請求項６又は７に記載のバックシート。
【請求項９】
前記内側液体不透過フィルム層は、ポリエチレン、ポリプロピレン及びポリエステルなどの他のポリオレフィン、またはその混合物からなることを特徴とする請求項１〜８のいずれか一項に記載のバックシート。
【発明の詳細な説明】
【技術分野】
【０００１】
本願発明は、内側液体不透過フィルム層と、不織布の外側層と、を備えている吸収物品のためのバックシートであって、前記内側液体不透過フィルム層は、少なくとも１つの印刷された領域を含むバックシートに関する。
【背景技術】
【０００２】
オムツ、トレーニングパンツ、及び同様の吸収物品は、現今では、着用者に適合された後で、パンツ状の形状をしばしば有し、そのような吸収物品に一対のズボンによく似た外観を与えるために、バックシートは、織物状の外観を有する外側層をしばしば有する。開示の第１の段落によるバックシートが開示される特許文献１において、使い捨て吸収衣類の外観は、バックシートの外側層と異なる色を有するフィルム層を設けることによって、且つ下に配置されるフィルム層が可視可能になる外側層における透明領域を設けることによって、改善される。外側層の透明領域によって覆われたフィルム層の領域における印刷された図形及び絵図を提供することは、特許文献１から周知である。外側層の透明な領域は、不透明な不織布層の対応する領域を熱及び圧力にさらすことによって製造され、それによって、それらの領域における繊維は、溶かされ、フィルム状構造を形成する。
【０００３】
印刷パターンを有するバックシートの外側不織布層を適用することはまた、当業者に周知である。しかしながら、吸収物品に使用される種類の不織布上の印刷の品質は、不明りょうであり、図形及び絵図の印刷を可能にせず、明瞭なライン及び完全に着色された領域が、所望される審美的な効果を得るために、必要とされる。
【先行技術文献】
【特許文献】
【０００４】
【特許文献１】英国特許第２  ２９３  ５７３  Ａ号明細書
【発明の概要】
【発明が解決しようとする課題】
【０００５】
本願発明の目的は、バックシートの外側不織布層の構造を局所的に変更する必要なしに、バックシート上の印刷の多用途性を改善することである。
【課題を解決するための手段】
【０００６】
この目的は、内側液体不透過フィルム層と、不織布の外側層と、を備える吸収物品のためのバックシートであって、前記内側液体不透過フィルム層は、少なくとも１つの印刷された領域を含むバックシートであって、前記不織布の外側層には、前記内側液体不透過フィルム層の少なくとも１つの印刷された領域を覆っている領域又は複数の領域内ではなく、領域又は複数の領域の周りに延在するプリントが設けられ、前記不織布の外側層の斤量が２０ｇ／ｍ２以下とされることを特徴とするバックシートによって得られる。そのようなバックシートは、ピクチャ又は絵図を印刷することを可能にし、該ピクチャ又は絵図は、全体として、バックシートの全体を覆い、前記ピクチャ又は絵図の明瞭な図形は、内側液体不透過フィルム層上に印刷され、より少ない明瞭部分は、例えば、ピクチャ又は絵図の背景が外側不織布層上に印刷され、外側不織布層上に印刷される。外側不織布層のより少ない斤量に起因して、内側液体不透過フィルム層上のプリントは、顕著な妨害なしで視聴者に可視可能とされるであろう。特許文献１から周知であるバックシートと対照的に、本願発明のバックシートの外側層は、周知のバックシートの外側層のための場合のようなフィルム状の領域の妨害なしで、その全体の領域に亘って織物構造を有するであろう。本願発明によるバックシートは、吸収物品のための従来の製造ラインで容易に製造されることができ、唯一の必要とされる追加の装置が印刷装置である。
【０００７】
好ましい実施形態において、内側液体不透過フィルム層は２つの印刷領域を有し、該２つの印刷領域は、前部における１つの印刷領域と後部における１つの印刷領域とであり、外側不織布層は、内側液体不透過フィルム層上に印刷された領域に対する形状及び位置において対応する２つの非印刷領域（５）を有する。好ましい変形において、内側液体不透過フィルム層は、側面部がフィルム層を有していない状態で、バックシートの中間部分のみに存在する。
【０００８】
さらなる好ましい実施形態において、複数の印刷領域がバックシートの前部及び／又は後部上に存在する場合がある。
【０００９】
好ましくはないが、内側液体不透過フィルム層又は／及び外側不織布層が着色されていることを可能にする。
【００１０】
前記外側不織布層は、好ましくは、スパンボンド不織布、メルトブローン不織布又はカード式不織布とされ、該不織布は、ポリプロピレン繊維、又は、ポリエチレン繊維とポリプロピレン繊維及び／又はポリエステル繊維の混合物、から形成され、前記内側液体不透過フィルム層は、ポリエチレンからなる。
【００１１】
本願発明は、同封された図面を参照して記載されるであろう。
【図面の簡単な説明】
【００１２】
【図１】本願発明の第１の好ましい実施形態によるバックシートの内側液体不透過フィルム層のための材料のウェブの一部を図式的に開示する図である。
【図２】本願発明の第１の実施形態によるバックシートの外側不織布層のための材料のウェブを図式的に開示する図である。
【図３】おむつが着用者に着用された状態で、本願発明の第１の好ましい実施形態によるバックシートとともに提供されたオムツの前部を図示する図である。
【発明を実施するための形態】
【００１３】
図１には、液体不透過性材料のウェブ１、例えばポリエチレンのウェブ１の一部が、図式的に開示される。印刷された領域２又はピクチャの列は、適切な印刷技術によって、例えばスクリーン印刷によって、このウェブ上に印刷される。前記列における全ての第２のピクチャは、同一であり、使い捨てオムツなどの吸収性物品の前側または後側に配置されるように意図される。示された実施形態において、前記列における隣接したピクチャ２は、同一であるが、互いに対して上下逆さまにひっくり返される。ピクチャ２は、２つのハートからなり、一のハートは、他のハートに重ねられるが、当然ながら、他の物体または他の図形は、ハートの代わりに使用されることができる。
【００１４】
図２は、不織布のウェブ３、例えばポリプロエチレン繊維の不織布のウェブ３を開示する。絵図４におけるハートの繰り返されたパターンは、このウェブ３上に印刷される。この繰り返されたパターンは、オムツの製造における最終段階の１つにおいて、バックシート材料のウェブの切断後に、非印刷領域５の第１の列、及び物品の２つの隣接するブランクのウェストライン領域に対応する非印刷領域の第２の列を除いて、個々のオムツのバックシート上に提供されるであろうウェブの全ての領域を覆い、ウェブ１及びウェブ３と、トップシート材料のウェブと、ウェブ１、３とトップシートウェブとの間に配置された吸収体の列と、ウェストライン領域に少なくとも配置された弾性要素と、を備えている複合ウェブから切断される。非印刷領域の第１の列における各非印刷領域５は、フィルム材料のウェブ１上に印刷されたピクチャ２の領域に対応し、且つ互いから同一の距離で配置され、且つウェブ１上のピクチャ２の列におけるピクチャ２のように、ウェブ３の対向する縁部から同一の距離で配置される。
【００１５】
バックシート材料のウェブを生成するために、ウェブ１及びウェブ３は、一緒の状態にされ、互いに取り付けられる。ウェブ３は、ウェブ１に亘って載置され、それによってウェブ３上の非印刷領域５がウェブ１上のピクチャ２と一致する。これは、例えば、ウェブ１上の第１のピクチャがウェブ３上の第１の非印刷領域５と一致するように単純に制御することによって、ウェブが格納ローラから引き出され、一緒の状態にされ、２つのロールの間のニップにおいて互いに取り付けられる場合に、容易に達成される。ウェブ１及びウェブ３は、好ましくは、透明な接着剤または接着、例えば、ホットメルト接着などとともに一緒に接着されることができる。ウェブを一緒に取り付けるための他の適切な手段、例えば超音波溶着または加熱溶着はまた、使用される場合がある。２つのウェブ１及び３の一緒の状態になることは、吸収物品の製造のための生産ラインにおいて形成されることができ、又は、バックシート材料のウェブが前記生産ラインで使用されるように格納ローラ上に巻き付けられる状態で予め形成される。ウェブ１及び３の印刷は、いつでも行われることができ、互いに独立的に行われることができ、例えば、ウェブ１及び３の印刷は、複数のウェブが一緒の状態になる工程に関連してなされる場合があり、ウェブ１の印刷は、複数のウェブが一緒になる前に行われる場合があり、且つウェブ３の印刷は、複数のウェブが一緒になる後で行われる場合がある。
【００１６】
図３において、ウェブ１及びウェブ３の材料層からなるバックシートを有する使い捨て吸収物品は、着用者に適用された後の図式的な前面図において示される。図３における吸収物品は、トレーニングパンツであり、例えば、個々の吸収物品ブランクは、複合ウェブから切断され、複合ウェブは、トップシート材料のウェブと、バックシート材料のウェブと、前記トップシート材料のウェブとバックシート材料のウェブとの間に囲まれた吸収コアの列と、を備えており、切断された個々の吸収物品ブランクの前部及び後部の両端が位置合わせされ、且つ前記ブランクの側面部がシーム（図面に示されない）によって互いに取りけられるように、折り畳まれる。前部及び後部によって、前部及び後部の自由端が位置合わせされる状態で、トレーニングパンツの前側及び後側が二重に折り畳まれることを意味する。そのようなトレーニングパンツの側面部は、図３における右側及び左側であり、前部の側面部がこの図面における可視可能である。図３において、トレーニングパンツ６のバックシートの層は、プライムサイン（prime sign）の追加とともに、図１及び図２における対応する構成要素と同一の参照符号を付される。図３から明らかなように、フィルム層１’上のピクチャ２は、外側不織布層３’の非印刷領域５の全体を満たす。それによって、視聴者は、特許文献１による物品のための２つの異なるピクチャ又は絵図の代わりに、同質のピクチャの印象を得る。
【００１７】
外側不織布層３’上の非印刷領域５を通じて、ピクチャ２の所望される可視性を確認するために、外側不織布層３’の斤量は、２０ｇ／ｍ２以下とされるべきであり、好ましく１８ｇ／ｍ２以下とされるべきである。
【００１８】
印刷のために内側フィルム層１’を使用する利点は、非常に明瞭なラインを有するピクチャ又は絵図が内側フィルム層に印刷されることができることである。外側不織布層３’上には、絵図又はピクチャが、この層構造に起因して、不鮮明なライン及び不明りょうな領域を有するであろう。テキストラインなどの鮮明なラインの必要性がある場合に、外側不織布層３’は、それ故に使用されることができない。
【００１９】
図３において、華やかなピクチャがバックシート上に印刷される。本願発明によるバックシートは、当然ながら、その上に印刷された、異なる種類の絵図又はピクチャ、例えば、抽象的な印刷又は非具象的なパターンを有することができる。バックシートの前部及び／又は後部上の一の領域を超える領域には、鮮明なライン又は同様のものを含む場合があり、内側フィルム層上の複数の印刷領域及び外側不織布層上に対応する非印刷領域によって生成される場合がある。
【００２０】
バックシートの内側層１’は、好ましくは、ポリエチレンからなるが、ポリプロピレン、ポリエステル、及びそれらの混合物などの他のポリオレフィンからなる場合もある。内側フィルム層１’は、通気可能とされる場合があり、すなわち、その表面に亘って複数の微細孔を有する場合もある。
【００２１】
外側不織布層３’は、好ましくは、スパンボンド不織布、メルトブローン不織布、スパンレース式不織布、又はカード式不織布であり、それらの不織布は、ポリプロピレン又は他のポリオレフィンの繊維から製造される。しかしながら、上述の斤量を有する任意の種類の不織布材料は、使用される場合がある。外側不織布層３’は、ＳＭＳ（スパンボンド不織布−メルトブローン不織布−スパンボンド不織布）複合材料などの、複数の層を含むこともできる。同様に、コットン、スターチ、及びビスコース繊維などの天然繊維も使用されることができる。
【００２２】
記載された実施形態によるバックシートは、本願発明の範囲を逸脱することなく、様々な態様において改良されることができる。例えば、外側不織布ウェブ上のパターン又は絵図は、非印刷領域が既製のトレーニングパンツに存在しないであろうことを確実にするために、このブランクを切断されるように、個々のトレーニングパンツブランクの輪郭の外側に到達する場合がある外側不織布ウェブ上のパターン又は絵図は、パターン又は絵図が内側フィルムシート上の図形の周りに延在する限りは、個々のトレーニングパンツブランクの輪郭より小さくされる場合があり、それによって、視聴者が一の同質の印刷として、内側フィルム層及び外側不織布層上に異なる印刷を察知するであろう。内側液体不透過フィルム層は、外側不織布層と同一の寸法を有する必要はないが、例えば、前方腰部分から後方腰部分へ長手方向に延在するバックシートの中間部分においてのみ存在することができ、それによって、フィルム材料の側面部を自由にさせる。内側フィルム層上に印刷された図形の一の列又は図柄の複数の列における同一のピクチャ又は絵図を有することは、必要ではないが、外側不織布層上の非印刷領域が異なる図形の一列又は複数の列に対する形状及び位置に対応する限り、異なる形状の図形が使用されることができる。一の印刷領域を超える領域は、バックシートの前部及び／又は後部上に存在することができる。スクリーン印刷以外の他の印刷技術は、内側層及び外側層を印刷するために使用されることができ、異なる印刷技術は、異なる層のために使用されることができる。内側フィルム層又は／及び外側不織布層が着色されることができる、すなわち、印刷が既に着色された層（複数の層）上に行われることができる。従って、本願発明は、特許請求の範囲の精神及び技術的範囲内に含まれる代替実施形態、修正、変化などをすべて含むように意図される。
【符号の説明】
【００２３】
１  ウェブ
１’  内側液体不透過フィルム層
２  ピクチャ、印刷領域
３  ウェブ
３’  不織布の外側層
４  絵図
５  非印刷領域
６  トレーニングパンツ
【図１】
2010537712.tif 000003
【図２】
2010537712.tif 000004
【図３】
2010537712.tif 000005
【国際調査報告】
2010537712.tif 000006
2010537712.tif 000007
2010537712.tif 000008
2010537712.tif 000009
2010537712.tif 000010